(57)【要約】【課題】  収納領域に収納された物品を一元的に管理しながらも、物品の検索結果や不正持ち出し等を示す情報を物品の収納領域にて出力する。【解決手段】  棚部３毎に設けられ、棚部３に収納された物品に取り付けられたＲＦ−ＩＤメディアから情報を読み出す収納領域管理ボード１と接続されたコントロールユニット４において、棚部３における物品の収納状況情報を保持し、さらにこの収納状況情報を管理用パソコン６にて取得して保持しておき、管理用パソコン６に物品の検索命令が入力された場合、保持された物品の収納状況情報を用いて当該物品の収納位置を検索し、検索された物品の収納位置に対応して収納領域管理ボード１に設けられたＬＥＤを発光させ、検索対象となる物品がどこに収納されているかを表示する。【選択図】図１
2006273555.tif 000002
【特許請求の範囲】
【請求項１】
ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナと、
前記複数のアンテナのそれぞれに対応して設けられた複数の物品位置表示手段とを具備し、
前記制御手段は、
前記収納領域管理部材における前記ＲＦ−ＩＤメディアからの情報の読み出し結果に基づいて前記収納領域における物品の収納状況情報を保持する第１の収納状況管理手段と、
前記収納状況管理手段にて保持された物品の収納状況情報を前記管理手段に送信する収納状況送信手段とを具備し、
前記管理手段は、
前記収納状況送信手段から送信された前記収納状況情報を取得する収納状況取得手段と、
前記収納状況取得手段にて取得された前記収納状況情報を保持する第２の収納状況管理手段と、
物品の検索命令が入力された場合、前記第２の収納状況管理手段にて保持された物品の収納状況情報を用いて当該物品の収納位置を検索する検索手段と、
前記検索手段にて検索された物品の収納位置に対応する前記物品位置表示手段を駆動させる駆動手段とを具備する物品管理システム。
【請求項２】
請求項１に記載の物品管理システムにおいて、
前記第１の収納状況管理手段は、前記ＲＦ−ＩＤメディアからの情報の読み出し結果に基づいて、当該第１の収納状況管理手段にて既に保持されている収納状況情報を更新し、
前記収納状況送信手段は、前記収納状況情報のうち更新された更新情報のみを前記管理手段に送信し、
前記第２の収納状況管理手段は、前記収納状況情報送信手段から送信された更新情報を用いて、当該第２の収納状況管理手段にて既に保持されている収納状況情報を更新することを特徴とする物品管理システム。
【請求項３】
ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナを具備し、
前記制御手段は、
前記収納領域管理部材における前記ＲＦ−ＩＤメディアからの情報の読み出し結果に基づいて前記収納領域における物品の収納状況情報を保持する第１の収納状況管理手段と、
前記収納状況管理手段にて保持された物品の収納状況情報を前記管理手段に送信する収納状況情報送信手段と、
前記管理手段からの制御によって警報を出力する警報出力手段とを具備し、
前記管理手段は、
前記収納状況送信手段から送信された前記収納状況情報を取得する収納状況取得手段と、
前記収納状況取得手段にて取得された前記収納状況情報を保持する第２の収納状況管理手段と、
前記収納状況取得手段にて取得された収納状況情報と前記第２の収納状況管理手段にて既に保持されている収納状況情報とを比較し、前記第２の収納状況管理手段にて既に保持されている収納状況情報に含まれ、かつ、前記収納状況取得手段にて取得された収納状況情報に含まれていない相違情報が存在する場合、該相違情報によって指定される物品が予め指定されているものであるかどうかを確認する収納状況比較手段と、
前記収納状況比較手段にて前記相違情報によって指定される物品が予め指定されているものではないことが確認された場合、前記収納状況取得手段にて取得された収納状況情報を送信してきた制御手段の前記警報出力手段から警報を出力する制御を行う警報制御手段とを具備する物品管理システム。
【請求項４】
ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナを具備し、
前記制御手段は、
前記収納領域管理部材における前記ＲＦ−ＩＤメディアからの情報の読み出し結果を前期収納領域における物品の収納状況情報として取得する第１の収納状況取得手段と、
前記第１の収納状況取得手段にて取得された収納状況情報を保持する第１の収納状況管理手段と、
前記第１の収納状況取得手段にて取得された収納状況情報と前記第１の収納状況管理手段にて既に保持されている収納状況情報とを比較する第１の収納状況比較手段と、
前記収納状況管理手段にて保持された物品の収納状況情報を前記管理手段に送信し、また、前記第１の収納情報比較手段における比較の結果、前記第１の収納状況管理手段にて既に保持されている収納状況情報に含まれ、かつ、前記第１の収納状況取得手段にて取得された収納状況情報に含まれていない相違情報が存在する場合、該相違情報を前記管理手段に送信する収納状況情報送信手段と、
前記管理手段からの制御によって警報を出力する警報出力手段とを具備し、
前記管理手段は、
前記収納状況送信手段から送信された前記収納状況情報及び前記相違情報を取得する第２の収納状況取得手段と、
前記第２の収納状況取得手段にて取得された前記収納状況情報を保持する第２の収納状況管理手段と、
前記第２の収納状況取得手段にて前記相違情報が取得された場合、該相違情報によって指定される物品が予め指定されているものであるかどうかを確認する第２の収納状況比較手段と、
前記第２の収納状況比較手段における比較の結果、前記相違情報によって指定される物品が予め指定されているものではないことが確認された場合、当該相違情報を送信してきた制御手段の前記警報出力手段から警報を出力する制御を行う警報制御手段とを具備する物品管理システム。
【請求項５】
収納領域に収納された物品に取り付けられたＲＦ−ＩＤメディアからの情報の読み出し結果に基づいて前記収納領域における物品の収納状況情報を保持するコントロールユニットであって、
前記ＲＦ−ＩＤメディアからの情報の読み出し結果を前記収納状況情報として取得する収納状況取得手段と、
前記収納状況取得手段にて取得された収納状況情報を保持する収納状況管理手段と、
前記収納状況取得手段にて取得された収納状況情報と前記収納状況管理手段にて既に保持されている収納状況情報とを比較する収納状況比較手段と、
前記収納状況管理手段にて保持された物品の収納状況情報を、前記収納領域における物品の収納状況を管理する前記管理手段に送信し、また、前記収納情報比較手段における比較の結果、前記収納状況管理手段にて既に保持されている収納状況情報に含まれ、かつ、前記収納状況取得手段にて取得された収納状況情報に含まれていない相違情報が存在する場合、該相違情報を前記管理手段に送信する収納状況送信手段とを有するコントロールユニット。
【発明の詳細な説明】
【技術分野】
【０００１】
本発明は、収納領域に収納された物品を管理する物品管理システム及びコントロールユニットに関し、特に、ＲＦ−ＩＤメディアが取り付けられて収納領域に収納された物品を管理する物品管理システム及びコントロールユニットに関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、そのような識別情報が印字されたラベルを書籍の表紙あるいは裏表紙に貼付したりしている。このバーコードや識別番号等の識別情報を書籍名と対応づけて管理しておき、書籍の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の底板や背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている（例えば、特許文献１，２参照。）。この技術においては、書籍等の物品に貼付されたＲＦ−ＩＤメディアからアンテナを介して情報を読み取り、この読み取った情報を用いて物品の在庫状況をパソコン等にて一元的に管理しておき、その後、物品を検索する場合、パソコン等にて管理されている情報を用いて検索が行われ、検索結果がパソコン上に表示されたり、インターネットを介して配信されたりすることになる。
【特許文献１】特開２００３−７２９１９号公報
【特許文献２】特開２００４−２６４６５号公報
【発明の開示】
【発明が解決しようとする課題】
【０００４】
しかしながら、上述した特許文献１，２に記載された技術においては、物品を検索した場合、検索結果がパソコン上に表示されたり、インターネットを介して配信されたりすることになるため、例えば、書籍等のように物品がラック等の複数の収納部材に収納されている場合、検索対象となる物品がどの収納部材のどこに収納されているかをパソコン上あるいはインターネットを介しては認識することができるものの、実際に収納部材が置かれたスペースにおいて、どの収納部材のどこに探索対象となる物品が収納されているかを認識することが困難であるという問題点がある。また、パソコン上に表示されたりインターネットを介して配信されたりする検索結果においては、検索対象となる物品の収納場所を示すために収納部材の識別番号等の情報が出力されることになるため、利用者は表示された識別番号等の情報がどの収納部材に対応するものであるかを覚えておかなければならないという問題点がある。
【０００５】
また、物品の在庫状況がパソコン等にて一元的に管理されているだけであるため、収納領域から物品が不正に持ち出された場合、その旨を物品の収納領域にて報知することができず、それにより、物品が不正に持ち出された後に不正持ち出しが認識されることになり、不正持ち出しを抑制する効果が高いとは言いがたい。
【０００６】
本発明は、上述したような従来の技術が有する問題点に鑑みてなされたものであって、収納領域に収納された物品を一元的に管理しながらも、物品の検索結果や不正持ち出し等を示す情報を物品の収納領域にて出力することができる物品管理システム及びコントロールユニットを提供することを目的とする。
【課題を解決するための手段】
【０００７】
上記目的を達成するために本発明は、
ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナと、
前記複数のアンテナのそれぞれに対応して設けられた複数の物品位置表示手段とを具備し、
前記制御手段は、
前記収納領域管理部材における前記ＲＦ−ＩＤメディアからの情報の読み出し結果に基づいて前記収納領域における物品の収納状況情報を保持する第１の収納状況管理手段と、
前記収納状況管理手段にて保持された物品の収納状況情報を前記管理手段に送信する収納状況送信手段とを具備し、
前記管理手段は、
前記収納状況送信手段から送信された前記収納状況情報を取得する収納状況取得手段と、
前記収納状況取得手段にて取得された前記収納状況情報を保持する第２の収納状況管理手段と、
物品の検索命令が入力された場合、前記第２の収納状況管理手段にて保持された物品の収納状況情報を用いて当該物品の収納位置を検索する検索手段と、
前記検索手段にて検索された物品の収納位置に対応する前記物品位置表示手段を駆動させる駆動手段とを具備する。
【０００８】
上記のように構成された本発明においては、ＲＦ−ＩＤメディアが取り付けられた物品が収納される収納領域には、物品に取り付けられたＲＦ−ＩＤメディアから情報を読み出す収納領域管理部材が設けられている。この収納領域管理部材においては、収納領域内にて物品が収納される収納位置に対応して複数のアンテナが取り付けられ、このアンテナを介して、当該収納位置に収納された物品に取り付けられたＲＦ−ＩＤメディアから情報が読み出される。そして、この収納領域管理部材と接続された制御手段の第１の収納状況管理手段において、収納領域管理部材におけるＲＦ−ＩＤメディアからの情報の読み出し結果に基づいて収納領域における物品の収納状況情報が保持される。この収納状況情報は、物品の収納状況を管理する管理手段にて取得され、管理手段の第２の収納状況管理手段にて保持される。この状態において、管理手段に物品の検索命令が入力されると、管理手段の検索手段において、第２の収納状況管理手段にて保持された物品の収納状況情報を用いて当該物品の収納位置が検索され、検索された物品の収納位置に対応して収納領域管理部材に設けられた物品位置表示手段が駆動手段によって駆動し、それにより、収納領域において、検索対象となる物品がどこに収納されているかが表示されることになる。
【０００９】
また、前記第１の収納状況管理手段は、前記ＲＦ−ＩＤメディアからの情報の読み出し結果に基づいて、当該第１の収納状況管理手段にて既に保持されている収納状況情報を更新し、
前記収納状況送信手段は、前記収納状況情報のうち更新された更新情報のみを前記管理手段に送信し、
前記第２の収納状況管理手段は、前記収納状況情報送信手段から送信された更新情報を用いて、当該第２の収納状況管理手段にて既に保持されている収納状況情報を更新する構成とすることも考えられる。
【００１０】
また、ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナを具備し、
前記制御手段は、
前記収納領域管理部材における前記ＲＦ−ＩＤメディアからの情報の読み出し結果に基づいて前記収納領域における物品の収納状況情報を保持する第１の収納状況管理手段と、
前記収納状況管理手段にて保持された物品の収納状況情報を前記管理手段に送信する収納状況情報送信手段と、
前記管理手段からの制御によって警報を出力する警報出力手段とを具備し、
前記管理手段は、
前記収納状況送信手段から送信された前記収納状況情報を取得する収納状況取得手段と、
前記収納状況取得手段にて取得された前記収納状況情報を保持する第２の収納状況管理手段と、
前記収納状況取得手段にて取得された収納状況情報と前記第２の収納状況管理手段にて既に保持されている収納状況情報とを比較し、前記第２の収納状況管理手段にて既に保持されている収納状況情報に含まれ、かつ、前記収納状況取得手段にて取得された収納状況情報に含まれていない相違情報が存在する場合、該相違情報によって指定される物品が予め指定されているものであるかどうかを確認する収納状況比較手段と、
前記収納状況比較手段にて前記相違情報によって指定される物品が予め指定されているものではないことが確認された場合、前記収納状況取得手段にて取得された収納状況情報を送信してきた制御手段の前記警報出力手段から警報を出力する制御を行う警報制御手段とを具備する。
【００１１】
上記のように構成された本発明においては、ＲＦ−ＩＤメディアが取り付けられた物品が収納される収納領域には、物品に取り付けられたＲＦ−ＩＤメディアから情報を読み出す収納領域管理部材が設けられている。この収納領域管理部材においては、収納領域内にて物品が収納される収納位置に対応して複数のアンテナが取り付けられ、このアンテナを介して、当該収納位置に収納された物品に取り付けられたＲＦ−ＩＤメディアから情報が読み出される。そして、この収納領域管理部材と接続された制御手段の第１の収納状況管理手段において、収納領域管理部材におけるＲＦ−ＩＤメディアからの情報の読み出し結果に基づいて収納領域における物品の収納状況情報が保持される。この収納状況情報は、物品の収納状況を管理する管理手段にて取得され、管理手段の第２の収納状況管理手段にて保持される。その後、管理手段にて制御手段から収納状況情報が取得された場合、取得された収納状況情報と第２の収納状況管理手段にて既に保持されている収納状況情報とが比較され、第２の収納状況管理手段にて既に保持されている収納状況情報に含まれ、かつ、管理手段にて取得された収納状況情報に含まれていない相違情報が存在する場合であって、該相違情報によって指定される物品が予め指定されているものではない場合、この収納状況情報を送信してきた制御手段の警報出力手段から警報が出力されることになる。
【００１２】
また、ＲＦ−ＩＤメディアが取り付けられて収納領域に収納された物品を管理する物品管理システムであって、
前記収納領域毎に設けられ、当該収納領域に収納された物品に取り付けられたＲＦ−ＩＤメディアから情報を読み出す収納領域管理部材と、
前記収納領域管理部材と接続され、該収納領域管理部材における前記ＲＦ−ＩＤメディアからの情報の読み出し結果に基づいて前記収納領域における物品の収納状況情報を保持する制御手段と、
前記制御手段にて保持された収納状況情報を取得し、該収納状況情報に基づいて前記収納領域における物品の収納状況を管理する管理手段とを有し、
前記収納領域管理部材は、
前記収納領域内にて物品が収納される収納位置に対応して取り付けられ、当該収納位置に収納された物品に取り付けられたＲＦ−ＩＤメディアから情報を読み出すための複数のアンテナを具備し、
前記制御手段は、
前記収納領域管理部材における前記ＲＦ−ＩＤメディアからの情報の読み出し結果を前期収納領域における物品の収納状況情報として取得する第１の収納状況取得手段と、
前記第１の収納状況取得手段にて取得された収納状況情報を保持する第１の収納状況管理手段と、
前記第１の収納状況取得手段にて取得された収納状況情報と前記第１の収納状況管理手段にて既に保持されている収納状況情報とを比較する第１の収納状況比較手段と、
前記収納状況管理手段にて保持された物品の収納状況情報を前記管理手段に送信し、また、前記第１の収納情報比較手段における比較の結果、前記第１の収納状況管理手段にて既に保持されている収納状況情報に含まれ、かつ、前記第１の収納状況取得手段にて取得された収納状況情報に含まれていない相違情報が存在する場合、該相違情報を前記管理手段に送信する収納状況情報送信手段と、
前記管理手段からの制御によって警報を出力する警報出力手段とを具備し、
前記管理手段は、
前記収納状況送信手段から送信された前記収納状況情報及び前記相違情報を取得する第２の収納状況取得手段と、
前記第２の収納状況取得手段にて取得された前記収納状況情報を保持する第２の収納状況管理手段と、
前記第２の収納状況取得手段にて前記相違情報が取得された場合、該相違情報によって指定される物品が予め指定されているものであるかどうかを確認する第２の収納状況比較手段と、
前記第２の収納状況比較手段における比較の結果、前記相違情報によって指定される物品が予め指定されているものではないことが確認された場合、当該相違情報を送信してきた制御手段の前記警報出力手段から警報を出力する制御を行う警報制御手段とを具備する。
【００１３】
上記のように構成された本発明においては、ＲＦ−ＩＤメディアが取り付けられた物品が収納される収納領域には、物品に取り付けられたＲＦ−ＩＤメディアから情報を読み出す収納領域管理部材が設けられている。この収納領域管理部材においては、収納領域内にて物品が収納される収納位置に対応して複数のアンテナが取り付けられ、このアンテナを介して、当該収納位置に収納された物品に取り付けられたＲＦ−ＩＤメディアから情報が読み出される。そして、この収納領域管理部材と接続された制御手段の第１の収納状況管理手段において、収納領域管理部材におけるＲＦ−ＩＤメディアからの情報の読み出し結果に基づいて収納領域における物品の収納状況情報が保持される。この収納状況情報は、物品の収納状況を管理する管理手段にて取得され、管理手段の第２の収納状況管理手段にて保持される。その後、制御手段にて収納領域管理部材から収納状況情報が取得された場合、取得された収納状況情報と第１の収納状況管理手段にて既に保持されている収納状況情報とが比較され、第１の収納状況管理手段にて既に保持されている収納状況情報に含まれ、かつ、収納領域管理部材から取得された収納状況情報に含まれていない相違情報が存在する場合、その相違情報のみが管理手段に送信される。そして、制御手段から送信された相違情報によって指定される物品が予め指定されているものではない場合、管理手段の制御によって、この相違情報を送信した制御手段の警報出力手段から警報が出力されることになる。
【発明の効果】
【００１４】
以上説明したように本発明においては、収納領域毎に設けられ、当該収納領域に収納された物品に取り付けられたＲＦ−ＩＤメディアから情報を読み出す収納領域管理部材と接続された制御手段において、収納領域における物品の収納状況情報を保持し、さらに、この収納状況情報を、収納領域における物品の収納状況を管理する管理手段にて取得して保持しておき、物品の検索命令が入力された場合、管理手段にて保持された物品の収納状況情報を用いて当該物品の収納位置を検索し、検索された物品の収納位置に対応して収納領域管理部材に設けられた物品位置表示手段を駆動させ、検索対象となる物品がどこに収納されているかを表示する構成としたため、物品が収納された収納領域にて検索結果が表示されることになり、それにより、収納領域に収納された物品を一元的に管理しながらも、物品を検索した場合にその検索結果を物品の収納領域にて出力することができる。
【００１５】
また、制御手段において、ＲＦ−ＩＤメディアからの情報の読み出し結果に基づいて、既に保持されている収納状況情報を更新し、収納状況情報のうち更新された更新情報のみを管理手段に送信し、管理手段において、制御手段から送信された更新情報を用いて、管理手段にて既に保持されている収納状況情報を更新するものにおいては、制御手段と管理手段との間における収納状況情報を送受信するためのトラフィック量を低減することができる。
【００１６】
また、収納領域毎に設けられ、当該収納領域に収納された物品に取り付けられたＲＦ−ＩＤメディアから情報を読み出す収納領域管理部材と接続された制御手段において、収納領域における物品の収納状況情報を保持し、さらに、この収納状況情報を、収納領域における物品の収納状況を管理する管理手段にて取得して保持しておき、その後、管理手段にて制御手段から収納状況情報が取得された場合、取得された収納状況情報と第２の収納状況管理手段にて既に保持されている収納状況情報とが比較され、第２の収納状況管理手段にて既に保持されている収納状況情報に含まれ、かつ、管理手段にて取得された収納状況情報に含まれていない相違情報が存在する場合であって、該相違情報によって指定される物品が予め指定されているものではない場合、この収納状況情報を送信してきた制御手段の警報出力手段から警報を出力するものにおいては、収納領域に収納された物品を一元的に管理しながらも、物品が収納領域から不正に持ち出された場合にその旨を物品の収納領域にて出力することができる。
【００１７】
また、収納領域毎に設けられ、当該収納領域に収納された物品に取り付けられたＲＦ−ＩＤメディアから情報を読み出す収納領域管理部材と接続された制御手段において、収納領域における物品の収納状況情報を保持し、さらに、この収納状況情報を、収納領域における物品の収納状況を管理する管理手段にて取得して保持しておき、その後、制御手段にて収納領域管理部材から収納状況情報が取得された場合、取得された収納状況情報と第１の収納状況管理手段にて既に保持されている収納状況情報とが比較され、第１の収納状況管理手段にて既に保持されている収納状況情報に含まれ、かつ、収納領域管理部材から取得された収納状況情報に含まれていない相違情報が存在する場合、その相違情報のみを管理手段に送信し、制御手段から送信された相違情報によって指定される物品が予め指定されていないものである場合、管理手段の制御によって、この相違情報を送信した制御手段の警報出力手段から警報を出力するものにおいては、収納領域に収納された物品を一元的に管理しながらも、物品が収納領域から不正に持ち出された場合にその旨を物品の収納領域にて出力することができ、さらに、管理手段において、収納領域における物品の収納状況をリアルタイムで認識することができる。
【発明を実施するための最良の形態】
【００１８】
以下に、本発明の実施の形態について図面を参照して説明する。
【００１９】
（第１の実施の形態）
図１は、本発明の物品管理システムの第１の実施の形態を示す図である。
【００２０】
図１に示すように本形態においては、収納部材２における物品の収納領域となる棚部３上に、棚部３に収納される物品に取り付けられたＲＦ−ＩＤメディアから情報を読み出す収納領域管理部材である収納領域管理ボード１がそれぞれ載置され、この収納領域管理ボード１には、収納領域管理ボード１におけるＲＦ−ＩＤメディアからの情報の読み出し結果に基づいて棚部３における物品の収納状況情報を保持する制御手段であるコントロールユニット４が収納部材２毎に接続されている。また、収納部材２毎に設けられたコントロールユニット４は、棚部３における物品の収納状況を管理する管理手段である管理用パソコン６とＬＡＮ及びハブ５を介して接続されており、管理用パソコン６は、コントロールユニット４にて保持されている収納状況情報をＬＡＮ及びハブ５を介してコントロールユニット４から取得し、取得した収納状況情報に基づいて棚部３における物品の収納状況を管理する。なお、コントロールユニット４は、対応する収納部材２を構成する４つの棚部３上のそれぞれに載置された４つの収納領域管理ボード１のうち、１つの収納領域管理ボード１のみと接続され、他の３つの収納領域管理ボード１は順次マルチドロップ接続され、１つの収納領域管理ボード１にて終端されている。また、本形態においては、管理用パソコン６に接続されるコントロールユニット４及びこれに対応する収納部材２の数は３つとしているが、その数は３つに限らない。また、収納部材２を構成する棚部３の数も４つとしているが、その数は４つに限らない。
【００２１】
図２は、図１に示した収納領域管理ボード１の構成を示す図であり、（ａ）は外観斜視図、（ｂ）は内部構造を示す図である。
【００２２】
本形態における収納領域管理ボード１は図２に示すように、板状筐体１０内に８つのアンテナ基板２０−１〜２０−８が取り付けられて構成されている。
【００２３】
アンテナ基板２０−１〜２０−８のそれぞれには、ＲＦ−ＩＤメディアと共振することによりＲＦ−ＩＤメディアから情報を読み出すためのコイル状のアンテナ２１−１〜２１−８が形成されるとともに、アンテナ２１−１〜２１−８のそれぞれに対応するように物品位置表示手段であるＬＥＤ２３−１〜２３−８が接続されている。
【００２４】
板状筐体１０には、その上面に、アンテナ基板２０−１〜２０−８を取り付けるための取り付け部となる取り付け穴１３が設けられており、アンテナ基板２０−１〜２０−８は、この取り付け穴１３にて取り付け用ビス２２を用いてそれぞれ板状筐体１０に取り付けられている。なお、取り付け穴１３は、取り付け用ビス２２を用いてアンテナ基板２０−１〜２０−８を板状筐体１０に取り付けた場合に取り付け用ビス２２の一部が板状筐体１０の上面から突出しないように段差を有する構造となっていることが好ましい。また、板状筐体１０の前面には、取り付け穴１３によるアンテナ基板２０−１〜２０−８の取り付け位置に対応して窓１２−１〜１２−８が設けられており、アンテナ基板２０−１〜２０−８に接続されたＬＥＤ２３−１〜２３−８が点灯した場合、この窓１２−１〜１２−８を介してその点灯状態を確認できるようになっている。また、板状筐体１０の上面のうち、窓１２−１〜１２−８が設けられた前面側は、一部が透明部１１となっており、透明部１１を介してアンテナ基板２０−１〜２０−８の一部が外部から視認可能となり、それにより、アンテナ基板２０−１〜２０−８が取り付けられた位置が外部から認識可能となっている。なお、この領域は、アンテナ基板２０−１〜２０−８が取り付けられた位置が外部から認識可能であれば、透明ではなく半透明であってもよい。また、アンテナ基板２０−１〜２０−８が外部から視認可能でなくても、アンテナ基板２０−１〜２０−８が取り付けられた位置を示すマークを板状筐体１０に印刷しておくことにより、アンテナ基板２０−１〜２０−８が取り付けられた位置を外部から認識可能とすることも考えられる。
【００２５】
また、板状筐体１０の内部には、８つのアンテナ２１−１〜２１−８を介してＲＦ−ＩＤメディアから情報を読み出すとともにＬＥＤ２３−１〜２３−８を点灯するための制御基板３０が取り付けられており、制御基板３０には、アンテナ２１−１〜２１−８を介してＲＦ−ＩＤメディアから情報を読み出す情報読出部３２と、アンテナ２１−１〜２１−８への電流の供給を切り替えるアンテナ切替器３１と、ＬＥＤ２３−１〜２３−８を点灯させるＬＥＤドライバ３３と、この収納領域管理ボード１を識別するためのＩＤを設定するためのディップスイッチからなるＩＤ切替器３５と、コントロールユニット４からの制御によって、情報読出部３２、アンテナ切替器３１およびＬＥＤドライバ３３の動作を制御するとともに、情報読出部３２における読み出し結果をコントロールユニット４に送信する制御部３４とが設けられている。また、アンテナ基板２０−１〜２０−８と板状筐体１０の下面との間に磁性層（不図示）を設けることも考えられる。この磁性層は、板状筐体１０の下面の内部側に、公知の磁性シートを貼付したり、磁性体を塗布したりすることによって設けることが考えられるが、このように、アンテナ基板２０−１〜２０−８と板状筐体１０の下面との間に磁性層を設けることにより、棚部３が金属からなり、かつ、収納領域管理ボード１の厚さが薄い場合であっても、磁束の発生が阻害されて通信ができなくなってしまう可能性を低減することができる。
【００２６】
なお、図２においては、板状筐体１０に取り付け可能なアンテナ基板２０−１〜２０−８の数及び板状筐体１０に設けられた窓１２−１〜１２−８の数をそれぞれ８つとしたが、本発明はこれらの数を８つに限定するものではない。
【００２７】
図３は、図１に示したコントロールユニット４の構成を示すブロック図である。
【００２８】
本形態におけるコントロールユニット４は図３に示すように、棚部３に収納された物品に取り付けられたＲＦ−ＩＤメディアからの情報の読み出し結果を収納領域管理ボード１から取得する収納状況取得部４２と、収納状況取得部４２にて取得された読み出し結果に基づいて棚部３における物品の収納状況情報をテーブル上にて保持する第１の収納状況管理手段である収納状況管理部４３と、収納状況管理部４３にて保持された収納状況情報を管理用パソコン６に送信する収納状況情報送信手段である収納状況送信部４４と、収納領域管理ボード１に設けられたＬＥＤ２３−１〜２３−８のうち、管理用パソコン６からのＬＥＤ駆動命令に応じたＬＥＤが駆動、発光するように制御するＬＥＤ制御部４５と、収納状況取得部４２にてＲＦ−ＩＤメディアからの情報の読み出し結果を取得したりＬＥＤ制御部４５にてＬＥＤ２３−１〜２３−８の駆動を制御したりするために収納領域管理ボード１と通信を行う通信部４１と、管理用パソコン６からＬＥＤ駆動命令を受信したり収納状況送信部４４から送信された収納状況情報を管理用パソコン６に送信したりするために管理用パソコン６と通信を行う通信部４６とから構成されている。
【００２９】
図４は、図１に示した管理用パソコン６の構成を示すブロック図である。
【００３０】
本形態における管理用パソコン６は図４に示すように、コントロールユニット４から送信された収納状況情報を取得する収納状況取得手段である収納状況取得部６２と、収納状況取得部６２にて取得された収納状況情報をテーブル上にて保持する第２の収納状況管理手段である収納状況管理部６３と、検索命令及び検索条件を入力するための入力部６６と、入力部６６を介して物品の検索命令が入力された場合、収納状況管理部６３にて保持された物品の収納状況情報を用いて物品の収納位置を検索する検索部６４と、収納領域管理ボード１に設けられたＬＥＤ２３−１〜２３−８のうち、検索部６４にて検索された物品の収納位置に対応するＬＥＤが駆動、発光するように制御する駆動手段であるＬＥＤ制御部６５と、収納状況管理部６３にて保持される収納状況情報や検索部６４における検索結果が表示される表示部６７と、収納状況取得部６２にてコントロールユニット４から収納状況情報を取得したりＬＥＤ制御部６５にてＬＥＤ２３−１〜２３−８の駆動を制御したりするためにコントロールユニット４と通信を行う通信部６１とから構成されている。
【００３１】
図５は、図１に示した棚部３に収納される物品となる書類ボックスの構造例を示す図である。
【００３２】
図５に示すように、棚部３に収納される書類ボックス７は、開口部から書類を収納可能に構成され、収納部材２の棚部３への載置面にはＲＦ−ＩＤメディアである非接触型ＩＣラベル８が貼付され、また、棚部３に収納された場合に手前側となる面にはバーコード情報９が記載されている。なお、非接触型ＩＣラベル８を書類ボックス７に貼付する位置は書類ボックス７の内側面であってもよく、また、ＲＦ−ＩＤメディアとして非接触型ＩＣラベル８を書類ボックス７に貼付するのではなく、ＲＦ−ＩＤメディアを書類ボックス７自体に組み込んだり、フィルムケース等によって書類ボックス７に挿入部を設けてそこに収納したりしてもよい。また、非接触型ＩＣラベル８のシリアル番号とバーコード情報９とは、データベース６ａに予め対応づけて登録されている。
【００３３】
以下に、上述した収納部材２の棚部３に収納領域管理ボード１を載置した状態で棚部３に収納された書類ボックス７を管理する方法について説明する。
【００３４】
図６は、図１に示した収納部材２に図５に示した書類ボックス７を収納した状態を示す図である。
【００３５】
図６に示すように、図１に示した収納部材２の棚部３にそれぞれ載置された収納領域管理ボード１上に、図５に示した書類ボックス７が載置される。ここで、図１に示した収納部材２の４つの棚部３のうち、上段から３つの棚部３においては、収納領域管理ボード１の板状筐体１０に設けられた取り付け穴１３によって取り付けられたアンテナ基板２０−１〜２０−８のそれぞれに対向するように８つの書類ボックス７が載置され、それにより、アンテナ基板２０−１〜２０−８に形成されたアンテナ２１−１〜２１−８と８つの書類ボックス７にそれぞれ貼付された非接触型ＩＣラベル８とが対向しているが、最も下段の棚部３においては、取り付け穴１３によって８つのアンテナ基板が取り付け可能となる位置のうち、３つの位置のみに対向するように書類ボックス７が載置されている。このため、最も下段の棚部３上に載置される収納領域管理ボード１においては、書類ボックス７が載置される位置に対向する領域、すなわち、窓１２−１，１２−４，１２−７に対応する領域のみの取り付け穴１３にて３つのアンテナ基板が取り付けられ、この３つのアンテナ基板に形成されたアンテナと３つの書類ボックス７に貼付された非接触型ＩＣラベル８とがそれぞれ対向するようになっている。このように、収納領域管理ボード１の板状筐体１０に設けられた取り付け穴１３によってアンテナ基板が取り付け可能な領域のうち、この収納領域管理ボード１上に載置される書類ボックス７と対向する領域のみに取り付け穴１３にてアンテナ基板を取り付けることにより、書類ボックス７に貼付された非接触型ＩＣラベル８と対向する領域のみにアンテナが設けられることになる。このような構成とすることにより、アンテナの電力を、対向する領域のみにて共振するようなものとすることができ、非接触型ＩＣラベル８から情報を確実に読み出すことができながらもアンテナどうしの干渉を防止することができる。
【００３６】
上述したように収納領域管理ボード１を収納部材２の棚部３上に載置した状態で棚部３に収納された書類ボックス７の収納状況を管理する場合、まず、管理用パソコン６において、書類ボックス７に収容される書類名と書類ボックス７に記載されたバーコード情報９とを対応づけてデータベース６ａに登録して管理しておく。これは、例えば、管理用パソコン６に書類ボックス７に収容される書類の書類名を入力するとともに、この書類ボックス７に記載されたバーコード情報９を管理用パソコン６に接続されたバーコードリーダー（不図示）にて読み取り、これらを対応づけることや、書類ボックス７に収容される書類に、予め書類名と対応づけられたバーコード情報が記載されたバーコードラベルを貼付しておき、このバーコードラベルに記載されたバーコード情報と書類ボックス７に記載されたバーコード情報９とをバーコードリーダーにて読み取ってこれらを対応づけること等が考えられる。ここで、書類ボックス７に記載されたバーコード情報９と書類ボックス７に貼付された非接触型ＩＣラベル８のシリアル番号とは、上述したようにデータベース６ａにて予め対応づけて管理されているため、書類ボックス７に収容される書類名と書類ボックス７に記載されたバーコード情報９とを対応づけてデータベース６ａに登録することにより、書類ボックス７に収容される書類名と書類ボックス７に貼付された非接触型ＩＣラベル８のシリアル番号とが対応づけてデータベース６ａにて管理されることになる。
【００３７】
また、コントロールユニット４においては、まず、初期動作として、コントロールユニット４に接続されるべき収納領域管理ボード１に対して、アンテナ２１−１〜２１−８を介しての非接触型ＩＣラベル８からのシリアル番号の読み取り制御が行われ、その読み取り制御に対して、非接触型ＩＣラベル８からシリアル番号が読み出された旨あるいは読み出されなかった旨を示す応答があるかどうかによって、収納領域管理ボード１の存在、すなわち、コントロールユニット４に接続されるべき収納領域管理ボード１のうち実際に接続されている収納領域管理ボード１が認識され、以後、上述した読み取り制御は、コントロールユニット４に実際に接続されていると認識された収納領域管理ボード１に対してのみ行われることになる。なお、上述したアンテナ２１−１〜２１−８を介しての非接触型ＩＣラベル８からのシリアル番号の読み取り動作は、以下に示すものと同様にして行われる。
【００３８】
その後、コントロールユニット４の収納状況取得部４２において、コントロールユニット４に接続された収納領域管理ボード１に対して、アンテナ２１−１〜２１−８を介して非接触型ＩＣラベル８から情報の読み出すための制御が行われる。これは、収納状況取得部４２において、コントロールユニット４に接続された収納領域管理ボード１のうち１つ目の収納領域管理ボード１について、８つのアンテナ２１−１〜２１−８のうち１つ目のアンテナ２１−１が指定され、それにより、アンテナ切替器３１が切り替えられてアンテナ２１−１が選択され、その状態で、コントロールユニット４からの読み出し命令によって情報読出部３２においてアンテナ２１−１に対して高周波電流が供給されてこのアンテナ２１−１を介して非接触型ＩＣラベル８からの情報の読み出しが行われ、その後、収納状況取得部４２にてアンテナ２１−２が指定されることによりアンテナ２１−２が選択され、その状態で、情報読出部３２においてアンテナ２１−２に対して高周波電流が供給されてこのアンテナ２１−２を介して非接触型ＩＣラベル８からの情報の読み出しが行われるというように、コントロールユニット４に接続された収納領域管理ボード１及びその中のアンテナ２１−１〜２１−８毎に順次行われることになる。なお、収納領域管理ボード１においては、制御基板３０に設けられたＩＤ切替器３５によって、１つのコントロールユニット４に接続された収納領域管理ボード１どうしで互いに異なるＩＤとなるボード番号が設定されており、また、収納領域管理ボード１毎のアンテナ２１−１〜２１−８については、コントロールユニット４にてそのＩＤとなるアンテナ番号が管理されているため、コントロールユニット４において、収納領域管理ボード１及びアンテナ２１−１〜２１−８が指定可能となっている。
【００３９】
情報読出部３２において非接触型ＩＣラベル８から読み出されたシリアル番号は、コントロールユニット４に送信される。
【００４０】
収納領域管理ボード１から送信されたシリアル番号は、コントロールユニット４の通信部４１を介して収納状況取得部４２にて取得され、その後、コントロールユニット４の収納状況管理部４３において、収納状況取得部４２にて取得されたシリアル番号を用いて、棚部３における書類ボックス７の収納状況情報がテーブル上にて保持される。
【００４１】
図７は、図３に示した収納状況管理部４３内のテーブルの一例を示す図である。
【００４２】
収納状況管理部４３においては、図７に示すように、コントロールユニット４毎に付与されたＩＰアドレスと、収納領域管理ボード１のＩＤ切替器３５にて設定され、収納領域管理ボード１を識別するためのボード番号と、収納領域管理ボード１内のアンテナを識別するためのアンテナ番号と、そのアンテナを介して読み出された非接触型ＩＣラベル８のシリアル番号とが対応づけられてテーブル上にて保持される。なお、収納領域管理ボード１においては、ＩＰアドレス、ボード番号及びアンテナ番号からなるテーブルが既に保持されており、そのテーブル上に、収納状況取得部４２にて取得された非接触型ＩＣラベル８のシリアル番号が書き込まれることになる。
【００４３】
このように、コントロールユニット４にて収納領域管理ボード１及びアンテナ２１−１〜２１−８が順次指定され、収納領域管理ボード１の情報読出部３２において、コントロールユニット４における指定に従って、棚部３に収納された書類ボックス７に貼付された非接触型ＩＣラベル８からシリアル番号が順次読み出され、このシリアル番号がコントロールユニット４に送信されることにより、棚部３における書類ボックス７の収納状況が収納状況管理部４３にて保持、管理されることになる。
【００４４】
以下に、上述したように書類ボックス７の収納状況が管理されている状態にて書類ボックス７に収容された書類を検索する物品検索方法について説明する。
【００４５】
図８は、図１〜図４に示した物品管理システムにおける物品検索方法を説明するためのフローチャートである。
【００４６】
コントロールユニット４の収納状況管理部４３にて保持された書類ボックス７の収納状況情報を取得するための取得命令が管理用パソコン６の入力部６６に入力されると（ステップＳ１）、まず、管理用パソコン６において、コントロールユニット４に対してセッションが確立され、管理用パソコン６の収納状況取得部６２において、コントロールユニット４に対して、収納状況管理部４３にて保持された書類ボックス７の収納状況情報を送信するための送信要求が送信される（ステップＳ２）。
【００４７】
管理用パソコン６の収納状況取得部６２から送信された送信要求がコントロールユニット４にて受信されると、収納状況管理部４３にて保持された書類ボックス７の収納状況情報が収納状況送信部４４から通信部４６を介して送信される（ステップＳ３）。また、コントロールユニット４においては、管理用パソコン６とのセッションが確立すると、上述したような収納領域管理ボード１に対する情報読出部３２におけるシリアル番号の読み出し制御が停止する。
【００４８】
コントロールユニット４の収納状況送信部４４から送信された収納状況情報は管理用パソコン６の収納状況取得部６２にて取得され（ステップＳ４）、管理用パソコン６の収納状況管理部６３において、収納状況取得部６２にて取得された収納状況情報が、図７に示したようなテーブルと同様のテーブル上にて保持される（ステップＳ５）。
【００４９】
その後、収納部材２に収納された書類を検索するために検索対象となる書類名が管理用パソコン６の入力部６６に入力され、管理用パソコン６上に表示された検索ボタン（不図示）が押下されると（ステップＳ６）、入力された書類名に対応づけてデータベース６ａにて管理されている非接触型ＩＣラベル８のシリアル番号が検索される（ステップＳ７）。
【００５０】
次に、検索部６４において、収納状況管理部６３内のテーブルが参照され、テーブル上にて保持された収納状況情報の中からステップＳ７にて検索されたシリアル番号が検索され、そのシリアル番号に対応づけられたＩＰアドレス、ボード番号及びアンテナ番号によって、書類ボックス７の収納位置が検索される（ステップＳ８）。
【００５１】
そして、ＬＥＤ制御部６５において、そのシリアル番号と対応づけられたボード番号及びアンテナ番号に対応するＬＥＤを点灯させる旨のＬＥＤ駆動命令がコントロールユニット４に対して送信される（ステップＳ９）。
【００５２】
管理用パソコン６のＬＥＤ制御部６５から送信されたＬＥＤ駆動命令がコントロールユニット４にて受信されると、コントロールユニット４のＬＥＤ制御部４５において、ＬＥＤ駆動命令に基づくＬＥＤを点灯させる旨の指示が収納領域管理ボード１に送信される（ステップＳ１０）。なお、コントロールユニット４においては、コントロールユニット４に接続された収納領域管理ボード１毎に、アンテナ２１−１〜２１−８に対応するＬＥＤ２３−１〜２３−８のＩＤとなるＬＥＤ番号が管理されており、それにより、点灯させるＬＥＤが特定可能となっている。
【００５３】
すると、ＬＥＤを点灯させる旨の指示がコントロールユニット４から送信されてきた収納領域管理ボード１においては、制御基板３０の制御部３４において、ＬＥＤ２３−１〜２３−８のうち、ＬＥＤ制御部４５にて点灯させる旨が指示されたＬＥＤ、すなわち、管理用パソコン６にて検索された書類が収容された書類ボックスの収納位置に対応するＬＥＤが点灯するようにＬＥＤドライバ３３が制御され、それにより、該当するＬＥＤが点灯する（ステップＳ１１）。
【００５４】
その後、検索対象となる書類ボックスの収納位置に対応するＬＥＤが点灯してから所定時間経過した場合に、コントロールユニット４あるいは管理用パソコン６における制御によってＬＥＤを消灯させる。
【００５５】
また、検索部６４においては、コントロールユニット４のＩＰアドレスと、検索対象のシリアル番号と、収納領域管理部４３のテーブル上にてそのシリアル番号と対応づけられたボード番号及びアンテナ番号とが検索情報として表示部６７にて表示される（ステップＳ１９）。
【００５６】
このように、本形態においては、収納部材２における書類ボックスの収納状況が管理用パソコン６にて管理されており、書類ボックスの検索命令が管理用パソコン６から入力された場合、管理用パソコン６にて管理されている収納状況に基づいて書類ボックスの収納位置が検索され、検索対象となる書類ボックスの収納位置に対応するＬＥＤが点灯するので、収納領域に収納された書類ボックスを一元的に管理しながらも、書類ボックスを検索した場合にその検索結果を書類ボックスの収納領域にて出力することができる。
【００５７】
また、本形態においては、コントロールユニット４の収納状況管理部４３にて保持された書類ボックス７の収納状況情報を取得するための取得命令が管理用パソコン６の入力部６６に入力された場合に、管理用パソコン６において、コントロールユニット４に対してセッションが確立され、管理用パソコン６の収納状況取得部６２において、コントロールユニット４に対して、収納状況管理部４３にて保持された書類ボックス７の収納状況情報を送信するための送信要求が送信され、それにより、収納状況管理部４３にて保持された書類ボックス７の収納状況情報が管理用パソコン６の収納状況取得部６２にて取得されているが、管理用パソコン６の電源投入時に、コントロールユニット４に対してセッションを確立し、管理用パソコン６の収納状況取得部６２において、コントロールユニット４に対して、収納状況管理部４３にて保持された書類ボックス７の収納状況情報を送信するための送信要求を送信し、それにより、収納状況管理部４３にて保持された書類ボックス７の収納状況情報を管理用パソコン６の収納状況取得部６２にて取得することや、予め決められたタイミングでコントロールユニット４に対してセッションを確立し、管理用パソコン６の収納状況取得部６２において、コントロールユニット４に対して、収納状況管理部４３にて保持された書類ボックス７の収納状況情報を送信するための送信要求を送信し、それにより、収納状況管理部４３にて保持された書類ボックス７の収納状況情報を管理用パソコン６の収納状況取得部６２にて取得することも考えられる。その場合、収納状況管理部４３にて保持された書類ボックス７の収納状況情報が管理用パソコン６の収納状況取得部６２にて取得される度毎に、管理用パソコン６の収納状況管理部６３内のテーブル上に保持された収納状況情報が更新されることになる。
【００５８】
また、収納状況管理部４３にて保持された書類ボックス７の収納状況情報が管理用パソコン６の収納状況取得部６２にて取得されて収納状況管理部６３にて保持された後に、収納部材２から書類ボックス７が取り出される等して収納状況が変化した場合に、その変化による更新情報のみをコントロールユニット４から管理用パソコン６に送信し、管理用パソコン６において、コントロールユニット４から送信されてきた更新情報を用いて、収納状況管理部６３にて保持されている収納状況情報を更新することも考えられる。その場合、コントロールユニット４の収納状況管理部４３において、収納領域管理ボード１における書類ボックス７に貼付された非接触型ＩＣラベル８からの情報の読み出し結果に基づいて、収納状況管理部４３にて既に保持されている収納状況情報が更新され、この更新情報のみが収納状況送信部４４から管理用パソコン６に送信され、管理用パソコン６の収納状況管理部６３において、収納状況送信部４４から送信された更新情報を用いて、収納状況管理部６３にて既に保持されている収納状況情報が更新されることになる。これにより、コントロールユニット４と管理用パソコン６との間における収納状況情報を送受信するためのトラフィック量を低減することができる。
【００５９】
（第２の実施の形態）
図９は、本発明の物品管理システムの第２の実施の形態を示す図である。
【００６０】
図９に示すように本形態においては、収納部材２における物品の収納領域となる棚部３上に、図２に示した収納領域管理ボード１がそれぞれ載置され、この収納領域管理ボード１には、収納領域管理ボード１におけるＲＦ−ＩＤメディアからの情報の読み出し結果に基づいて棚部３における物品の収納状況情報を保持する制御手段であるコントロールユニット１０４が収納部材２毎に接続されている。また、収納部材２毎に設けられたコントロールユニット１０４は、棚部３における物品の収納状況を管理する管理手段である管理用パソコン１０６とＬＡＮ及びハブ５を介して接続されており、管理用パソコン１０６は、コントロールユニット１０４にて保持されている収納状況情報をＬＡＮ及びハブ５を介してコントロールユニット１０４から取得し、取得した収納状況情報に基づいて棚部３における物品の収納状況を管理する。なお、コントロールユニット１０４は、対応する収納部材２を構成する４つの棚部３上のそれぞれに載置された４つの収納領域管理ボード１のうち、１つの収納領域管理ボード１のみと接続され、他の３つの収納領域管理ボード１は順次マルチドロップ接続され、１つの収納領域管理ボード１にて終端されている。また、本形態においては、管理用パソコン１０６に接続されるコントロールユニット１０４及びこれに対応する収納部材２の数は３つとしているが、その数は３つに限らない。また、収納部材２を構成する棚部３の数も４つとしているが、その数は４つに限らない。
【００６１】
図１０は、図９に示したコントロールユニット１０４の構成を示すブロック図である。
【００６２】
本形態におけるコントロールユニット１０４は図１０に示すように、棚部３に収納された物品に取り付けられたＲＦ−ＩＤメディアからの情報の読み出し結果を収納領域管理ボード１から取得する収納状況取得部１４２と、収納状況取得部１４２にて取得された読み出し結果に基づいて棚部３における物品の収納状況情報をテーブル上にて保持する第１の収納状況管理手段である収納状況管理部１４３と、収納状況管理部１４３にて保持された収納状況情報を管理用パソコン１０６にて指定されるタイミングで管理用パソコン１０６に送信する収納状況送信部１４４と、ブザーやランプ等から構成され、管理用パソコン１０６における制御によって警報を出力する警報出力部１４５と、収納状況取得部１４２にてＲＦ−ＩＤメディアからの情報の読み出し結果を取得するために収納領域管理ボード１と通信を行う通信部１４１と、管理用パソコン１０６から警報出力を制御するための命令を受信したり収納状況送信部１４４から送信された収納状況情報を管理用パソコン１０６に送信したりするために管理用パソコン１０６と通信を行う通信部１４６とから構成されている。
【００６３】
図１１は、図９に示した管理用パソコン１０６の構成を示すブロック図である。
【００６４】
本形態における管理用パソコン１０６は図１１に示すように、コントロールユニット１０４から送信された収納状況情報を取得する収納状況取得手段である収納状況取得部１６２と、収納状況取得部１６２にて取得された収納状況情報をテーブル上にて保持する第２の収納状況管理手段である収納状況管理部１６３と、コントロールユニット１０４の収納状況管理部１４３にて保持される収納状況情報を取得するための取得命令や、収納部材２に収納された書類ボックス７の予約情報を入力するための入力部１６６と、収納部材２に収納される書類ボックス７の持ち出し予約情報をデータベース６ａに登録して管理する予約情報管理部１６８と、収納状況取得部１６２にて取得された収納状況情報と収納状況管理部１６３にて既に保持されている収納状況情報とを比較し、収納状況管理部１６３にて既に保持されている収納状況情報に含まれ、かつ、収納状況取得部１６２にて取得された収納状況情報に含まれていない相違情報が存在する場合、該相違情報によって指定される書類ボックス７が予約情報管理部１６８にて持ち出し予約として管理されているかどうかを確認する収納状況比較部１６４と、収納状況比較部１６４にて予約情報が確認された結果、指定される書類ボックス７が予約情報管理部１６８にて持ち出し予約として管理されているものではない場合、その収納状況情報を送信してきたコントロールユニット１０４の警報出力部１４５から警報を出力する制御を行う警報制御部１６５と、収納状況管理部１６３にて保持される収納状況情報や収納状況比較部１６４における確認結果が表示される表示部１６７と、収納状況取得部１６２にてコントロールユニット１０４から収納状況情報を取得したり警報制御部１６５にて警報出力部１４５を制御したりするためにコントロールユニット１０４と通信を行う通信部１６１とから構成されている。
【００６５】
以下に、図９に示した物品管理システムにおいて図６に示したような書類ボックス７が収納部材２に収納された状態にて書類ボックス７を管理する物品管理方法について説明する。
【００６６】
図１２は、図９〜図１１に示した物品管理システムにおける物品管理方法を説明するためのフローチャートである。
【００６７】
まず、コントロールユニット１０４においては、第１の実施の形態にて示したものと同様に、収納領域管理ボード１における書類ボックス７に貼付された非接触型ＩＣラベル８からの読み出し結果に基づいて、収納状況管理部１４３において、図７に示したようなテーブル上にて書類ボックス７の収納状況情報が保持されている。
【００６８】
この状態において、コントロールユニット１０４の収納状況管理部１４３にて保持された書類ボックス７の収納状況情報を取得するための取得命令が管理用パソコン１０６の入力部１６６に入力されると（ステップＳ２１）、まず、管理用パソコン１０６において、コントロールユニット１０４に対してセッションが確立され、管理用パソコン１０６の収納状況取得部１６２において、コントロールユニット１０４に対して、収納状況管理部１４３にて保持された書類ボックス７の収納状況情報を送信するための送信要求が送信される（ステップＳ２２）。
【００６９】
管理用パソコン１０６の収納状況取得部１６２から送信された送信要求がコントロールユニット１０４にて受信されると、収納状況管理部１４３にて保持された書類ボックス７の収納状況情報が収納状況送信部１４４から通信部１４６を介して送信される（ステップＳ２３）。また、コントロールユニット１０４においては、管理用パソコン１０６とのセッションが確立すると、上述したような収納領域管理ボード１に対する情報読出部３２におけるシリアル番号の読み出し制御が停止する。
【００７０】
コントロールユニット１０４の収納状況送信部１４４から送信された収納状況情報が管理用パソコン１０６の収納状況取得部１６２にて取得されると（ステップＳ２４）、管理用パソコン１０６の収納状況管理部１６３において、収納状況情報を送信してきたコントロールユニット１０４のＩＰアドレスが含まれた収納状況情報が収納状況管理部１６３にて既に保持されているかどうかが確認され（ステップＳ２５）、収納状況情報がまだ保持されていない場合は、収納状況取得部１６２にて受信された収納状況情報が、図７に示したようなテーブルと同様のテーブル上にて保持される（ステップＳ２６）。
【００７１】
一方、収納状況管理部１６３にて既に収納状況情報が保持されている場合は、収納状況比較部１６４において、収納状況管理部１６３にて既に保持されている収納状況情報と収納状況取得部１６２にて取得された収納状況情報とが比較される（ステップＳ２７）。
【００７２】
収納状況比較部１６４における収納状況情報の比較の結果、収納状況管理部１６３にて既に保持されている収納状況情報に含まれ、かつ、収納状況取得部１６２にて取得された収納状況情報に含まれていない相違情報となる書類ボックス７に貼付された非接触型ＩＣラベル８のシリアル番号が存在する場合（ステップＳ２８）、収納状況比較部１６４において、そのシリアル番号によって指定される書類ボックス７が予約情報管理部１６８にて持ち出し予約として管理されているかどうかが確認される（ステップＳ２９）。ここで、予約情報管理部１６８においては、収納部材２に収納された書類ボックス７の持ち出し予約情報が管理されており、持ち出し予約がされた書類ボックス７に貼付された非接触型ＩＣラベル８のシリアル番号がデータベース６ａに登録されている。そのため、収納状況管理部１６３にて既に保持されている収納状況情報に含まれており、かつ、収納状況取得部１６２にて取得された収納状況情報に含まれていないシリアル番号は、データベース６ａにおいて持ち出し予約がされたシリアル番号として登録されているはずである。
【００７３】
収納状況比較部１６４における確認の結果、シリアル番号によって指定される書類ボックス７が予約情報管理部１６８にて持ち出し予約として管理されている場合は（ステップＳ３０）、収納状況管理部１６３にて既に保持されている収納状況情報が収納状況取得部１６２にて取得された収納状況情報によって更新される（ステップＳ３１）。
【００７４】
このようにして、ステップＳ２６にて収納状況管理部１６３のテーブル上に保持された収納状況情報や、ステップＳ３１にて更新された収納状況情報を用いて、収納状況管理部１６３において、収納部材２に収納された書類ボックス７の在庫管理が行われ、その在庫管理情報が外部からの指定によって表示部１６７に表示されたり、プリントアウトされたりする。
【００７５】
また、収納状況比較部１６４における確認の結果、シリアル番号によって指定される書類ボックス７が予約情報管理部１６８にて持ち出し予約として管理されていない場合は、不正持ち出しと判断され、警報制御部１６５において、その収納状況情報を送信してきたコントロールユニット１０４の警報出力部１４５から警報を出力する制御が行われ（ステップＳ３２）、コントロールユニット１０４の警報出力部１４５から警報が出力される（ステップＳ３３）。
【００７６】
その後、コントロールユニット１０４に設けられたブザー停止ボタン（不図示）が操作されることにより、警報出力部１４５からの警報の出力が停止する。
【００７７】
このように、本形態においては、収納部材２における書類ボックスの収納状況が管理用パソコン１０６にて管理されており、収納部材２から書類ボックスが不正に持ち出された場合、その収納部材２に対応するコントロールユニット１０４の警報出力部１４５から警報が出力されるので、収納領域に収納された物品を一元的に管理しながらも、書類ボックスが収納領域から不正に持ち出された場合にその旨を物品の収納領域にて出力することができる。
【００７８】
（第３の実施の形態）
図１３は、本発明の物品管理システムの第３の実施の形態を示す図である。
【００７９】
図１３に示すように本形態においては、収納部材２における物品の収納領域となる棚部３上に、図２に示した収納領域管理ボード１がそれぞれ載置され、この収納領域管理ボード１には、収納領域管理ボード１におけるＲＦ−ＩＤメディアからの情報の読み出し結果に基づいて棚部３における物品の収納状況情報を保持する制御手段であるコントロールユニット２０４が収納部材２毎に接続されている。また、収納部材２毎に設けられたコントロールユニット２０４は、棚部３における物品の収納状況を管理する管理手段である管理用パソコン２０６とＬＡＮ及びハブ５を介して接続されており、管理用パソコン２０６は、コントロールユニット２０４にて保持されている収納状況情報をＬＡＮ及びハブ５を介してコントロールユニット２０４から取得し、取得した収納状況情報に基づいて棚部３における物品の収納状況を管理する。なお、コントロールユニット２０４は、対応する収納部材２を構成する４つの棚部３上のそれぞれに載置された４つの収納領域管理ボード１のうち、１つの収納領域管理ボード１のみと接続され、他の３つの収納領域管理ボード１は順次マルチドロップ接続され、１つの収納領域管理ボード１にて終端されている。また、本形態においては、管理用パソコン２０６に接続されるコントロールユニット２０４及びこれに対応する収納部材２の数は３つとしているが、その数は３つに限らない。また、収納部材２を構成する棚部３の数も４つとしているが、その数は４つに限らない。
【００８０】
図１４は、図１３に示したコントロールユニット２０４の構成を示すブロック図である。
【００８１】
本形態におけるコントロールユニット２０４は図１４に示すように、棚部３に収納された物品に取り付けられたＲＦ−ＩＤメディアからの情報の読み出し結果を棚部３における物品の収納状況情報として収納領域管理ボード１から取得する第１の収納状況取得手段である収納状況取得部２４２と、収納状況取得部２４２にて取得された収納状況情報をテーブル上にて保持する第１の収納状況管理手段である収納状況管理部２４３と、収納状況取得部２４２にて取得された収納状況情報と収納状況管理部２４３にて既に保持されている収納状況情報とを比較する第１の収納状況比較手段である収納状況比較部２４７と、収納状況管理部２４３にて保持された収納状況情報を管理用パソコン２０６にて指定されるタイミングで管理用パソコン２０６に送信し、また、収納状況比較部２４７における比較の結果、収納状況管理部２４３にて既に保持されている収納状況情報に含まれ、かつ、収納状況取得部２４２にて取得された収納状況情報に含まれていない相違情報が存在する場合、その相違情報を管理用パソコン２０６に送信する収納状況送信部２４４と、ブザーやランプ等から構成され、管理用パソコン２０６における制御によって警報を出力する警報出力部２４５と、収納状況取得部２４２にてＲＦ−ＩＤメディアからの情報の読み出し結果を取得するために収納領域管理ボード１と通信を行う通信部２４１と、管理用パソコン２０６から警報出力を制御するための命令を受信したり収納状況送信部２４４から送信された収納状況情報を管理用パソコン２０６に送信したりするために管理用パソコン２０６と通信を行う通信部２４６とから構成されている。
【００８２】
図１５は、図１３に示した管理用パソコン２０６の構成を示すブロック図である。
【００８３】
本形態における管理用パソコン２０６は図１５に示すように、コントロールユニット２０４の収納状況送信部２４４から送信された収納状況情報や相違情報を取得する第２の収納状況取得手段である収納状況取得部２６２と、収納状況取得部２６２にて取得された収
納状況情報をテーブル上にて保持する第２の収納状況管理手段である収納状況管理部２６３と、コントロールユニット２０４の収納状況管理部２４３にて保持される収納状況情報を取得するための取得命令や、収納部材２に収納された書類ボックス７の予約情報を入力するための入力部２６６と、収納部材２に収納される書類ボックス７の持ち出し予約情報をデータベース６ａに登録して管理する予約情報管理部２６８と、収納状況取得部２６２にて取得された相違情報によって指定される書類ボックス７が予約情報管理部２６８にて持ち出し予約として管理されているかどうかを確認する第２の収納状況比較手段である収納状況比較部２６４と、収納状況比較部２６４にて予約情報が確認された結果、指定される書類ボックス７が予約情報管理部２６８にて持ち出し予約として管理されているものではない場合、その相違情報を送信してきたコントロールユニット２０４の警報出力部２４５から警報を出力する制御を行う警報制御部２６５と、収納状況管理部２６３にて保持される収納状況情報や収納状況比較部２６４における確認結果が表示される表示部２６７と、収納状況取得部２６２にてコントロールユニット２０４から収納状況情報や相違情報を取得したり警報制御部２６５にて警報出力部２４５を制御したりするためにコントロールユニット２０４と通信を行う通信部２６１とから構成されている。
【００８４】
以下に、図１３に示した物品管理システムにおいて図６に示したような書類ボックス７が収納部材２に収納された状態にて書類ボックス７を管理する物品管理方法について説明する。
【００８５】
図１６は、図１３〜図１５に示した物品管理システムにおける物品管理方法を説明するためのフローチャートである。
【００８６】
まず、コントロールユニット２０４においては、第１の実施の形態にて示したものと同様に、収納領域管理ボード１における書類ボックス７に貼付された非接触型ＩＣラベル８からの読み出し結果に基づいて、収納状況管理部２４３において、図７に示したようなテーブル上にて書類ボックス７の収納状況情報が保持されている。
【００８７】
この状態において、コントロールユニット２０４の収納状況管理部２４３にて保持された書類ボックス７の収納状況情報を取得するための取得命令が管理用パソコン２０６の入力部２６６に入力されると（ステップＳ４１）、まず、管理用パソコン２０６において、コントロールユニット２０４に対してセッションが確立され、管理用パソコン２０６の収納状況取得部２６２において、コントロールユニット２０４に対して、収納状況管理部２０４３にて保持された書類ボックス７の収納状況情報を送信するための送信要求が送信される（ステップＳ４２）。
【００８８】
管理用パソコン２０６の収納状況取得部２６２から送信された送信要求がコントロールユニット２０４にて受信されると、収納状況管理部２４３にて保持された書類ボックス７の収納状況情報が収納状況送信部２４４から通信部２４６を介して送信される（ステップＳ４３）。
【００８９】
コントロールユニット２０４の収納状況送信部２４４から送信された収納状況情報が管理用パソコン２０６の収納状況取得部２６２にて取得されると（ステップＳ４４）、管理用パソコン１０６の収納状況管理部２６３において、収納状況取得部２６２にて受信された収納状況情報が、図７に示したようなテーブルと同様のテーブル上にて保持される（ステップＳ４５）。
【００９０】
また、コントロールユニット２０４においては、収納状況取得部２４２において、収納領域管理ボード１における書類ボックス７に貼付された非接触型ＩＣラベル８からの読み出し結果が収納状況情報として取得されている（ステップＳ４６）。
【００９１】
収納状況取得部２４２にて取得された収納状況情報は収納状況比較部２４７に送られ、収納状況比較部２４４において、収納状況取得部２４２にて取得された収納状況情報と収納状況管理部２４３にて既に保持されている収納状況情報とが比較される（ステップＳ４７）。
【００９２】
収納状況比較部２４７における比較の結果、収納状況管理部２４３にて既に保持されている収納状況情報に含まれ、かつ、収納状況取得部２４２にて取得された収納状況情報に含まれていない相違情報となる書類ボックス７に貼付された非接触型ＩＣラベル８のシリアル番号が存在する場合（ステップＳ４８）、コントロールユニット２０４と管理用パソコン２０６とのセッションが確立され、そのシリアル番号が収納状況送信部２４４から管理用パソコン２０６に送信される（ステップＳ４９）。
【００９３】
コントロールユニット２０４の収納状況送信部２４４から送信されたシリアル番号は、管理用パソコン２０６の通信部２６１を介して収納状況取得部２６２にて取得され（ステップＳ５０）、収納状況比較部２６４において、収納状況取得部２６２にて取得されたシリアル番号によって指定される書類ボックス７が予約情報管理部１６８にて持ち出し予約として管理されているかどうかが確認される（ステップＳ５１）。ここで、予約情報管理部２６８においては、収納部材２に収納された書類ボックス７の持ち出し予約情報が管理されており、持ち出し予約がされた書類ボックス７に貼付された非接触型ＩＣラベル８のシリアル番号がデータベース６ａに登録されている。そのため、収納状況取得部２６２にて取得されたシリアル番号は、データベース６ａにおいて持ち出し予約がされたシリアル番号として登録されているはずである。
【００９４】
収納状況比較部２６４における確認の結果、シリアル番号によって指定される書類ボックス７が予約情報管理部２６８にて持ち出し予約として管理されている場合は（ステップＳ５２）、収納状況管理部２６３にて既に保持されている収納状況情報が収納状況取得部２６２にて取得されたシリアル番号を用いて更新される（ステップＳ５３）。具体的には、収納状況取得部２６２にて取得されたシリアル番号によって指定される書類ボックス７が収納部材２に収納されていない旨が登録される。
【００９５】
このようにして、ステップＳ４５にて収納状況管理部２６３のテーブル上に保持された収納状況情報や、ステップＳ５３にて更新された収納状況情報を用いて、収納状況管理部２６３において、収納部材２に収納された書類ボックス７の在庫管理が行われ、その在庫管理情報が外部からの指定によって表示部２６７に表示されたり、プリントアウトされたりする。
【００９６】
また、収納状況比較部２６４における確認の結果、シリアル番号によって指定される書類ボックス７が予約情報管理部２６８にて持ち出し予約として管理されていない場合は、不正持ち出しと判断され、警報制御部２６５において、そのシリアル番号を送信してきたコントロールユニット２０４の警報出力部２４５から警報を出力する制御が行われ（ステップＳ５４）、コントロールユニット２０４の警報出力部２４５から警報が出力される（ステップＳ５５）。
【００９７】
その後、コントロールユニット２０４に設けられたブザー停止ボタン（不図示）が操作されることにより、警報出力部２４５からの警報の出力が停止する。
【００９８】
このように、本形態においては、収納部材２における書類ボックスの収納状況が管理用パソコン２０６にて管理されており、収納部材２から書類ボックスが不正に持ち出された場合、その収納部材２に対応するコントロールユニット２０４の警報出力部２４５から警報が出力されるので、収納領域に収納された物品を一元的に管理しながらも、書類ボックスが収納領域から不正に持ち出された場合にその旨を物品の収納領域にて出力することができる。さらに、コントロールユニット２０６において、収納状況管理部２４３にて既に保持されている収納状況情報に含まれ、かつ、収納状況取得部２４２にて取得された収納状況情報に含まれていない書類ボックス７に貼付された非接触型ＩＣラベル８のシリアル番号が存在する場合にそのシリアル番号が収納状況送信部２４４から管理用パソコン２０６に送信されるので、管理用パソコン２０６において、収納部材２における書類ボックス７の収納状況をリアルタイムで認識することができる。
【００９９】
なお、上述した第２及び第３の実施の形態に用いられる収納領域管理ボード１としては、ＬＥＤ２３−１〜２３−８や窓１２−１〜１２−８が設けられていないものであってもよい。
【０１００】
また、上述した３つの実施の形態においては、収納部材２に収納される物品として書類ボックス７を例に挙げて説明したが、収納部材２に収納される物品としては、収納部材２の棚部への載置面に非接触型ＩＣラベル８が貼付されたものであれば書類ボックスに限らない。
【０１０１】
また、上述した３つの実施の形態においては、アンテナ基板２０−１〜２０−８にコイル状のアンテナ２１−１〜２１−８を形成し、このアンテナ２１−１〜２１−８と書類ボックス７に貼付された非接触型ＩＣラベル８とを共振させることにより非接触型ＩＣラベル８から情報を読み出す電磁誘導方式によるものを例に挙げて説明したが、アンテナ基板２０−１〜２０−８にダイポール形態等のアンテナを形成しておき、電波方式によって情報を読み出すことも考えられる。
【０１０２】
また、本発明は、上述した３つの実施の形態を組み合わせた構成としたものを含むことは言うまでもない。
【図面の簡単な説明】
【０１０３】
【図１】本発明の物品管理システムの第１の実施の形態を示す図である。
【図２】図１に示した収納領域管理ボードの構成を示す図であり、（ａ）は外観斜視図、（ｂ）は内部構造を示す図である。
【図３】図１に示したコントロールユニットの構成を示すブロック図である。
【図４】図１に示した管理用パソコンの構成を示すブロック図である。
【図５】図１に示した棚部に収納される物品となる書類ボックスの構造例を示す図である。
【図６】図１に示した収納部材に図５に示した書類ボックスを収納した状態を示す図である。
【図７】図３に示した収納状況管理部内のテーブルの一例を示す図である。
【図８】図１〜図４に示した物品管理システムにおける物品検索方法を説明するためのフローチャートである。
【図９】本発明の物品管理システムの第２の実施の形態を示す図である。
【図１０】図９に示したコントロールユニットの構成を示すブロック図である。
【図１１】図９に示した管理用パソコンの構成を示すブロック図である。
【図１２】図９〜図１１に示した物品管理システムにおける物品管理方法を説明するためのフローチャートである。
【図１３】本発明の物品管理システムの第３の実施の形態を示す図である。
【図１４】図１３に示したコントロールユニットの構成を示すブロック図である。
【図１５】図１３に示した管理用パソコンの構成を示すブロック図である。
【図１６】図１３から図１５に示した物品管理システムにおける物品管理方法を説明するためのフローチャートである。
【符号の説明】
【０１０４】
１    収納領域管理ボード
２    収納部材
３    棚部
４，１０４，２０４    コントロールユニット
５    ハブ
６，１０６，２０６    管理用パソコン
６ａ    データベース
７    書類ボックス
８    非接触型ＩＣラベル
９    バーコード情報
１０    板状筐体
１１    透明部
１２−１〜１２−８    窓
１３    取り付け穴
２０−１〜２０−８    アンテナ基板
２１−１〜２１−８    アンテナ
２２    取り付け用ビス
２３−１〜２３−８    ＬＥＤ
３０    制御基板
３１    アンテナ切替器
３２    情報読出部
３３    ＬＥＤドライバ
３４    制御部
３５    ＩＤ切替器
４１，４６，６１，１４１，１４６，１６１，２４１，２４６，２６１    通信部
４２，６２，１４２，１６２，２４２，２６２    収納状況取得部
４３，６３，１４３，１６３，２４３，２６３    収納状況管理部
４４，１４４，２４４    収納状況送信部
４５，６５    ＬＥＤ制御部
６４    検索部
６６，１６６，２６６    入力部
６７，１６７，２６７    表示部
１４５，２４５    警報出力部
１６４，２４７，２６４    収納状況比較部
１６５，２６５    警報制御部
１６８，２６８    予約情報管理部
【図１】
2006273555.tif 000003
【図２】
2006273555.tif 000004
【図３】
2006273555.tif 000005
【図４】
2006273555.tif 000006
【図５】
2006273555.tif 000007
【図６】
2006273555.tif 000008
【図７】
2006273555.tif 000009
【図８】
2006273555.tif 000010
【図９】
2006273555.tif 000011
【図１０】
2006273555.tif 000012
【図１１】
2006273555.tif 000013
【図１２】
2006273555.tif 000014
【図１３】
2006273555.tif 000015
【図１４】
2006273555.tif 000016
【図１５】
2006273555.tif 000017
【図１６】
2006273555.tif 000018